(57)【要約】【課題】  立体的な広告物とポスターなどのシート状の広告物を、共通の部品を利用しながら、容易に切り替えて展示することができる自動販売機のディスプレイ装置を提供する。【解決手段】  前面ドア２に広告物を展示する自動販売機１のディスプレイ装置９であって、広告物は、立体的な第１広告物１９と、シート状の第２広告物２１によって構成され、前面ドア２にその前面に沿って設けられた透明パネル１２と、前面が開口し、前面ドア２の透明パネル１２よりも後ろ側の位置に着脱自在に取り付けられ、第１広告物１９を収容可能であるとともに、透明パネル１２との間に第２広告物２１を挟持可能なケース１４と、を備えている。【選択図】  図６
2006260448.tif 000002
【特許請求の範囲】
【請求項１】
前面ドアに広告物を展示する自動販売機のディスプレイ装置であって、
前記広告物は、立体的な第１広告物と、シート状の第２広告物によって構成され、
前記前面ドアにその前面に沿って設けられた透明パネルと、
前面が開口し、前記前面ドアの前記透明パネルよりも後ろ側の位置に着脱自在に取り付けられ、前記第１広告物を収容可能であるとともに、前記透明パネルとの間に前記第２広告物を挟持可能なケースと、
を備えていることを特徴とする自動販売機のディスプレイ装置。
【請求項２】
前記ケース内に設けられ、前記第１広告物を所定の状態で取り付けるための取付具をさらに備えることを特徴とする、請求項１に記載の自動販売機のディスプレイ装置。
【請求項３】
前記取付具は、
前記ケースに嵌め込まれ、前記透明パネルに対して傾斜する斜面部を有する嵌合部材と、
当該嵌合部材の前記斜面部よりも前側の位置に、当該斜面部との間に空間を形成するように前記透明パネルと平行に取り付けられるとともに、前面に前記第１広告物が取り付けられる透明な取付パネルと、
を有していることを特徴とする、請求項２に記載の自動販売機のディスプレイ装置。
【請求項４】
前記嵌合部材の前記斜面部は、光透過性材料で構成されており、
前記斜面部の後方に配置された照明装置をさらに備えることを特徴とする、請求項３に記載の自動販売機のディスプレイ装置。
【発明の詳細な説明】
【技術分野】
【０００１】
本発明は、前面ドアに広告物を展示する自動販売機のディスプレイ装置に関する。
【背景技術】
【０００２】
広告物を展示する従来の自動販売機のディスプレイ装置として、例えば特許文献１に開示されたものが知られている。このディスプレイ装置は、ショーケースを自動販売機の上に載せ、取り付けたものである。このショーケースは箱状であり、透明なプラスチックで構成され、前面および上面が開口したケース本体と、これらの開口を開閉する断面Ｌ形の回動自在の蓋を有している。ショーケースには、立体的な広告物などが収容される。広告物を展示する際には、ショーケースの蓋を開放し、その中に広告物を収容する。
【０００３】
しかし、このディスプレイ装置では、ショーケースが自動販売機の上側に取り付けられていて、その設置位置が非常に高いため、広告物の交換などを行う際には、踏み台などに乗りながら、蓋の開閉や広告物の出し入れを行う必要があり、作業が容易ではない。同じ理由から、自動販売機の上側にショーケースの高さ分の空間を確保する必要があり、設置場所が制約されるという不具合がある。
【０００４】
また、ショーケース内に、立体的な広告物に代えて、シート状のポスターを展示する場合には、ポスターが丸まったり、倒れたりするのを防止するために、例えば、ポスターを支持するための支持パネルや、ショーケースに直接、ポスターを貼り付けるための接着剤などが必要になり、その分、コストが増大する。また、広告物は、主に売れ筋の商品や新商品などを展示し、ユーザにアピールするものであり、変更される頻度が高いため、容易に交換できることが求められる。これに対し、ショーケースにポスターを接着剤で貼り付けた場合には、ポスターを交換する際に、その取り外しや貼り付けに手間がかかり、その作業が非常に煩雑になってしまう。
【０００５】
【特許文献１】特開２００２−２８８７２３号公報
【０００６】
本発明は、上記の課題を解決するためになされたものであり、立体的な広告物とポスターなどのシート状の広告物を、共通の部品を利用しながら、容易に切り替えて展示することができる自動販売機のディスプレイ装置を提供することを目的とする。
【発明の開示】
【課題を解決するための手段】
【０００７】
この目的を達成するため、請求項１に係る発明は、前面ドアに広告物を展示する自動販売機のディスプレイ装置であって、広告物は、立体的な第１広告物と、シート状の第２広告物によって構成され、前面ドアにその前面に沿って設けられた透明パネルと、前面が開口し、前面ドアの透明パネルよりも後ろ側の位置に着脱自在に取り付けられ、第１広告物を収容可能であるとともに、透明パネルとの間に第２広告物を挟持可能なケースと、を備えていることを特徴とする。
【０００８】
この自動販売機のディスプレイ装置によれば、前面ドアの前面に沿って透明パネルが設けられており、前面ドアの透明パネルよりも後ろ側に、前面が開口したケースが着脱自在に取り付けられている。立体的な第１広告物を展示する場合には、ケースに第１広告物を収容する。この状態では、ユーザは、自動販売機の前方から透明パネルおよびケースの開口を介して、第１広告物を見ることができ、立体的な第１広告物が広告物として展示される。
【０００９】
シート状の第２広告物、例えばポスターを展示する場合には、ケースを前面ドアから取り外し、第２広告物を透明パネルの背面側に配置した状態で、ケースを前面ドアに取り付ける。これにより、第２広告物は、透明パネルとケースの間に挟持され、ユーザは、透明パネルを介して、第２広告物を見ることができ、シート状の第２広告物が広告物として展示される。以上のように、立体的な第１広告物およびシート状の第２広告物のいずれを展示する場合でも、同一のケースを共用することができるので、その分、製造コストを抑制することができる。
【００１０】
また、第２広告物は、透明パネルとケースの間に挟持されるため、丸まったり、倒れたりすることがない。したがって、第２広告物の丸まりなどを防止するための支持パネルや接着剤などが不要になり、それにより、コストを削減することができる。さらに、ケースや広告物が、従来のような自動販売機の上側ではなく、前面ドアに配置されるとともに、ケースを自動販売機から取り外した状態で、広告物の交換を行えるので、広告物の交換作業を容易に行うことができる。また、ディスプレイ装置が前面ドアに設けられるので、従来と異なり、自動販売機が大型化することがなく、自動販売機を通常の設置場所に設置することができる。
【００１１】
請求項２に係る発明は、請求項１に記載の自動販売機のディスプレイ装置において、ケース内に設けられ、第１広告物を所定の状態で取り付けるための取付具をさらに備えることを特徴とする。
【００１２】
この構成によれば、第１広告物を、取付具によって所定の状態でケース内に取り付けることができ、それにより、所望のディスプレイ効果を得ることができる。
【００１３】
請求項３に係る発明は、請求項２に記載の自動販売機のディスプレイ装置において、取付具は、ケースに嵌め込まれ、透明パネルに対して傾斜する斜面部を有する嵌合部材と、嵌合部材の斜面部よりも前側の位置に、斜面部との間に空間を形成するように透明パネルと平行に取り付けられるとともに、前面に第１広告物が取り付けられる透明な取付パネルと、を有していることを特徴とする。
【００１４】
この構成によれば、ケースに嵌め込まれた嵌合部材の斜面部と、その前側の位置に透明パネルと平行に取り付けられた透明な取付パネルの間に空間が形成されており、第１広告物は、取付パネルの前面に取り付けられている。このように、取付パネルとその後方の嵌合部材の斜面との間に空間が形成されるので、取付パネルの前面に取り付けられた第１広告物を、斜面部に対して浮いたように奥行感をもって、ユーザに見せることができる。これにより、第１広告物をユーザに、より強くアピールすることができ、ディスプレイ効果を高めることができる。
【００１５】
請求項４に係る発明は、請求項３に記載の自動販売機のディスプレイ装置において、嵌合部材の斜面部は、光透過性材料で構成されており、斜面部の後方に配置された照明装置をさらに備えることを特徴とする。
【００１６】
この構成によれば、第１広告物は、後方に配置された照明装置からの光によって、光透過性材料で構成された斜面部を介して、後方から照明される。これにより、第１広告物をユーザにさらに強くアピールでき、ディスプレイ効果をさらに高めることができる。
【発明を実施するための最良の形態】
【００１７】
以下、本発明の好ましい実施形態を、図面を参照しながら、詳細に説明する。図１は、本発明のディスプレイ装置を含む自動販売機を示している。同図に示すように、自動販売機１は、販売機本体（図示せず）と、その前面を開閉する前面ドア２を備えている。前面ドア２は、その左端部において、支軸（図示せず）を中心として、販売機本体に回動自在に取り付けられている。前面ドア２には、商品サンプル展示部３、金額表示部４、紙幣挿入口５、硬貨投入口６、釣銭返却口７、商品取出口８およびディスプレイ装置９などが設けられている。商品サンプル展示部３は、前面ドア２の上部に配置されている。
【００１８】
また、前面ドア２の商品サンプル展示部３の下側の中央には、矩形状の開口１０が形成されており、ディスプレイ装置９は、この開口１０の後ろ側に設けられている。
【００１９】
ディスプレイ装置９は、後述する立体広告物１９（第１広告物）とポスター２１（第２広告物）を切り替えて展示するためのものであり、透明パネル１２、ディスプレイ具１３（取付具）、ケース１４および照明装置１５を有している。
【００２０】
透明パネル１２は、透明な合成樹脂、例えばアクリルで構成された矩形状のものであり、前面ドア２の開口１０に嵌め込まれ、前面ドア２の前面に沿って設けられている（図５参照）。
【００２１】
図３に示すように、ケース１４は、例えば合成樹脂の成形品で構成され、前方が開口した箱状のものであり、いずれも矩形の天板１４ａ、左右の側板１４ｂ，１４ｂ、底板１４ｃおよび背板１４ｄで構成されている。天板１４ａの上面には、２つの突起１４ｆ，１４ｆおよび３つのばね板部１４ｇが、左右方向に交互に並ぶように設けられている。図５に示すように、各突起１４ｆは、天板１４ａの上面前端部から上方に若干突出し、その上端から斜め後方に若干延びるとともに、その先端からさらに後方に若干延びている。各ばね板部１４ｇは、突起１４ｆよりも後ろ側に配置されており、天板１４ａの上面から斜め前上がりに若干突出している。また、背板１４ｄの下部には、ケース１４の着脱時に指を掛けるための左右２つの孔１４ｅ，１４ｅが形成されている（図３参照）。
【００２２】
一方、図２および図５に示すように、前面ドア２の背面には、開口１０を取り囲むように、取付枠１１および係止部材２０が設けられている。取付枠１１は、開口１０の下縁部および左右の縁部に沿うようなＵ字形に形成され、後方に突出しており、その長さは、ケース１４の前後方向の長さにほぼ等しい。係止部材２０は、例えば折り曲げた金属板で構成され、左右方向に延びる断面矩形の中空のものであり、開口１０の上縁部に沿って取り付けられている。係止部材２０の下板部２０ａには、開口２０ｂが形成されている。
【００２３】
以上の構成により、ケース１４は、以下のようにして前面ドア２に取り付けられる。図５に示すように、まず、ケース１４の孔１４ｅ，１４ｅ（図３参照）に指を入れ、ケース１４を取付枠１１に後方から嵌め込む。その際、ケース１４を前傾させながら、各突起１４ｆを係止部材２０の開口２０ｂに係合させると同時に、各ばね板部１４ｇの先端部を、下板部２０ａの開口２０ｂよりも後ろ側の部分に入り込ませる。次に、ケース１４を前傾状態から直立状態にする。これにより、ケース１４は、各ばね板部１４ｇのばね力によって、取付枠１１の底板に押圧された状態で係止されるとともに、突起１４ｆが係止部材２０の開口２０ｂに係合することにより、後方への離脱が阻止された状態で、前面ドア２に取り付けられる。また、上記と逆の操作を行うことによって、ケース１４を前面ドア２から取り外すことができる。ケース１４は、以上のようにして、前面ドア２に着脱自在に取り付けられる。
【００２４】
図３に示すように、ディスプレイ具１３は、嵌合部材１６および取付パネル１７で構成されている。
【００２５】
嵌合部材１６は、前方が開口したボックス状に形成されており、全体として、ケース１４にぴったり嵌まるような所定の高さと幅を有している。具体的には、嵌合部材１６は、天板１６ａと、天板１６ａよりも前後方向の長さが短い底板１６ｃと、天板１６ａおよび底板１６ｃの左右端間をつなぐ逆台形状の左右の側板１６ｂ，１６ｂと、これらの板１６ａ，１６ｂ，１６ｂ，１６ｃの後端をつなぐ、斜め後ろ上がりに傾斜した傾斜板１６ｄ（斜面部）で構成されている。天板１６ａ、両側板１６ｂ、１６ｂおよび底板１６ｃは、金属板、例えば鉄板で構成されるのに対し、傾斜板１６ｄは、光透過性材料、例えば透明なアクリルで構成されている。天板１６ａの前後方向の長さは、ケース１４の天板１４ａとほぼ等しい。
【００２６】
取付パネル１７は、透明な合成樹脂、例えばアクリルから成り、上板１７ａ、支持板１７ｂおよび下板１７ｃで構成されていて、全体として、嵌合部材１６にぴったり嵌まるような所定の高さと幅を有している。具体的には、下板１７ｃは、嵌合部材１６の底板１６ｃとほぼ同じサイズを有し、その後端から支持板１７ｂが垂直上方に延び、さらにその上端から上板１７ａが垂直後方に所定の長さで延びている。
【００２７】
照明装置１５は、基板１５ａと、その前面に設けられた複数の発光ダイオード１５ｂで構成されている。
【００２８】
以上の構成により、このディスプレイ装置９では、立体広告物１９とポスター２１が、以下のようにして選択的に展示される。図３（ｂ）に示すように、ケース１４内に照明装置１５が収容されるとともに、嵌合部材１６および取付パネル１７は、ケース１４に前方から順次嵌め込まれる。この状態では、ケース１４および嵌合部材１６の前面と、取付パネル１７の下板１７ｃの前端は、面一になっている。また、嵌合部材１６の傾斜板１６ｄとケース１４の背板１４ｄの間、および傾斜板１６ｄと取付パネル１７の直立した支持板１７ｂの間には、空間がそれぞれ形成されている（以下、それぞれ「後空間２２ａ」、「前空間２２ｂ」という）。後空間２２ａには、照明装置１５が配置されるとともに、この後空間２２ａによって、ケース１４の孔１４ｅ，１４ｅに後方から指を入れ、ケース１４を操作することが可能になる。
【００２９】
立体広告物１９を展示する場合には、取付パネル１７の支持板１７ｂの前面に、両面テープ１８を介して、立体広告物１９を取り付ける。この立体広告物１９は、立体的な商品サンプルなどで構成されている。
【００３０】
以上のように立体広告物１９を取り付けた後、ケース１４は、前述した方法によって、前面ドア２に取り付けられる。この状態では、取付パネル１７の支持板１７ｂが、透明パネル１２と平行になっている。また、照明装置１５の基板１５ａがコードを介して電源（いずれも図示せず）に接続されることにより、立体広告物１９は、発光ダイオード１５ｂの光によって、嵌合部材１６の透明な傾斜板１６ｄを介して、後方から照明される。
【００３１】
次に、図４および図６を参照しながら、広告物としてポスター２１を展示する場合について説明する。このポスター２１は、シート状のものであり、その表面には、例えば商品や、商品に関する情報および宣伝文句が描かれている。ポスター２１は、所定の厚さを有するとともに、その高さおよび幅は、ケース１４の前面のサイズよりも若干大きい。ポスター２１を展示する場合には、ケース１４から立体広告物１９を取り外すとともに、ポスター２１を透明パネル１２の背面側に配置した状態で、ケース１４を前面ドア２に取り付ける。これにより、ポスター２１は、透明パネル１２とケース１４の間に挟持される。なお、図６では、図示の便宜上、照明装置１５およびディスプレイ具１３は省略されている。
【００３２】
以上のように、本実施形態によれば、前面ドア２の透明パネル１２よりも後ろ側に、ケース１４が着脱自在に取り付けられており、立体広告物１９を展示する場合には、ケース１４に立体広告物１９を収容することによって、透明パネル１２を介して、ユーザに立体広告物１９を見せることができる。一方、ポスター２１を展示する場合には、ポスター２１を透明パネル１２の背面側に配置した状態で、ケース１４を前面ドア２に取り付けることによって、透明パネル１２を介して、ユーザにポスター２１を見せることができる。以上のように、立体広告物１９およびポスター２１のいずれを展示する場合でも、同一のケース１４を共用することができるので、その分、製造コストを抑制することができる。
【００３３】
また、ポスター２１は、透明パネル１２とケース１４の間に挟持されるため、丸まったり、倒れたりすることがない。したがって、ポスター２１の丸まりなどを防止するための支持パネルや接着剤などが不要になり、それにより、コストを削減することができる。さらに、ケース１４や立体広告物１９およびポスター２１が、従来のような自動販売機の上側ではなく、前面ドア２に配置されるとともに、ケース１４を自動販売機１から取り外した状態で、立体広告物１９およびポスター２１の交換を行えるので、その交換作業を容易に行うことができる。また、ディスプレイ装置９が前面ドア２に設けられるので、従来と異なり、自動販売機１が大型化することがなく、自動販売機１を通常の設置場所に設置することができる。
【００３４】
また、前述したように、ケース１４に設けた突起１４ｆおよびばね板部１４ｇにより、ケース１４を前傾状態で前面ドア２の取付枠１１および係止部材２０に嵌め込んだ後に直立状態にする操作、またはその逆の操作を行うだけで、ケース１４を前面ドア２に容易に着脱することができるので、立体広告物１９およびポスター２１の交換作業をさらに容易に行うことができる。
【００３５】
また、取付パネル１７と嵌合部材１６の傾斜板１６ｄの間に形成された前空間２２ｂによって、取付パネル１７の前面に取り付けられた立体広告物１９を、傾斜板１６ｄに対して浮いたように奥行感をもって、ユーザに見せることができる。これにより、立体広告物１９をユーザに、より強くアピールすることができ、ディスプレイ効果をさらに高めることができる。また、照明装置１５によって、立体広告物１９が、透明な傾斜板１６ｄを介して後方から照明されるので、立体広告物１９をユーザにさらにアピールすることができ、ディスプレイ効果をさらに高めることができる。
【００３６】
また、照明装置１５の光源が複数の発光ダイオード１５ｂで構成されているので、単色の蛍光灯と異なり、色の選択や組み合わせにより、変化に富んだ照明が可能になり、それにより、ユーザに、立体広告物１９をより効果的にアピールすることができる。
【００３７】
なお、本発明は、説明した実施形態に限定されることなく、種々の態様で実施することが可能である。例えば、実施形態では、立体広告物１９をケース１４内に取り付けるためのディスプレイ具１３として、嵌合部材１６および支持パネル１７を用いているが、ディスプレイ具１３の構成はこれに限らず任意であり、また、ディスプレイ具１３を省略し、立体広告物１９をケース１４の底板１４ｃに載置してもよい。また、実施形態では、立体広告物１９およびポスター２１の一方を選択的に展示しているが、半透明なポスター２１を用いることによって、立体広告物１９およびポスター２１を同時に展示してもよい。さらに、ケース１４を前面ドア２に着脱自在に取り付けるための手段として、ケース１４に突起１４ｆおよびばね板部１４ｇを、前面ドア２に係止部材２０などをそれぞれ設けているが、他の適当な手段、例えば磁石を用いてもよい。
【００３８】
また、嵌合部材１６の傾斜板１６ｄを構成する光透過性材料として、透明なアクリルを用いているが、透明なものでなくてもよく、例えば半透明な材料を用いてもよい。さらに、照明装置１５の光源として、複数の発光ダイオード１５ｂを用いているが、これに限らず、例えば蛍光灯を用いてもよい。その他、本発明の趣旨の範囲内で、細部の構成を適宜、変更することが可能である。
【図面の簡単な説明】
【００３９】
【図１】本発明のディスプレイ装置を含む自動販売機の正面図である。
【図２】自動販売機の前面ドアの背面図である。
【図３】立体広告物を展示する場合のディスプレイ装置の（ａ）分解斜視図および（ｂ）斜視図である。
【図４】ポスターを展示する場合のディスプレイ装置の（ａ）分解斜視図および（ｂ）斜視図である。
【図５】ケースを前面ドアに取り付けた状態を示す側断面図である。
【図６】ポスターおよびケースを前面ドアに取り付けた状態を示す側断面図である。
【符号の説明】
【００４０】
１    自動販売機
２    前面ドア
９    ディスプレイ装置
１２    透明パネル
１３    ディスプレイ具（取付具）
１４    ケース
１５    照明装置
１６    嵌合部材
１６ｄ  傾斜板（斜面部）
１７    取付パネル
１９    立体広告物（第１広告物）
２１    ポスター（第２広告物）
【図１】
2006260448.tif 000003
【図２】
2006260448.tif 000004
【図３】
2006260448.tif 000005
【図４】
2006260448.tif 000006
【図５】
2006260448.tif 000007
【図６】
2006260448.tif 000008